(57)【要約】【課題】複数の画像処理パラメータを調整して画像処理を行う場合に、一部の画像処理パラメータの調整による画質への影響をユーザが確認することをより容易にする。【解決手段】画像処理に関するパラメータとして、画素数に関する第１のパラメータと、画素数以外の画質に関する第２のパラメータとを取得する取得手段と、前記第１のパラメータ及び前記第２のパラメータを変更する変更手段と、前記変更後の前記第１のパラメータと前記変更後の前記第２のパラメータとに従って元画像に前記画像処理を行うことにより第１の画像を生成し、前記変更後の前記第１のパラメータと前記変更前の前記第２のパラメータとに従って前記元画像に前記画像処理を行うことにより第２の画像を生成する、画像処理手段と、前記第１の画像と前記第２の画像とを表示するように制御する表示制御手段と、を備えることを特徴とする画像処理装置を提供する。【選択図】図５
2018023046.tif 000002
【特許請求の範囲】
【請求項１】
画像処理に関するパラメータとして、画素数に関する第１のパラメータと、画素数以外の画質に関する第２のパラメータとを取得する取得手段と、
前記第１のパラメータ及び前記第２のパラメータを変更する変更手段と、
前記変更後の前記第１のパラメータと前記変更後の前記第２のパラメータとに従って元画像に前記画像処理を行うことにより第１の画像を生成し、前記変更後の前記第１のパラメータと前記変更前の前記第２のパラメータとに従って前記元画像に前記画像処理を行うことにより第２の画像を生成する、画像処理手段と、
前記第１の画像と前記第２の画像とを表示するように制御する表示制御手段と、
を備えることを特徴とする画像処理装置。
【請求項２】
前記表示制御手段は、前記第２の画像と共に、前記変更前の前記第２のパラメータを示す情報を表示するように制御する
ことを特徴とする請求項１に記載の画像処理装置。
【請求項３】
前記表示制御手段は、前記第２の画像と共に、前記変更前の前記第１のパラメータを示す情報を表示するように制御する
ことを特徴とする請求項１又は２に記載の画像処理装置。
【請求項４】
前記表示制御手段は、前記第２の画像と共に、前記変更後の前記第１のパラメータを示す情報を表示するように制御する
ことを特徴とする請求項１又は２に記載の画像処理装置。
【請求項５】
前記表示制御手段は、前記第１の画像と共に、前記変更後の前記第１のパラメータを示す情報と、前記変更後の前記第２のパラメータを示す情報とを表示するように制御する
ことを特徴とする請求項１乃至４のいずれか１項に記載の画像処理装置。
【請求項６】
前記表示制御手段は、前記第１の画像と前記第２の画像とを交互に表示するように制御する
ことを特徴とする請求項１乃至５のいずれか１項に記載の画像処理装置。
【請求項７】
前記表示制御手段は、前記第１の画像と前記第２の画像とを同時に表示するように制御する
ことを特徴とする請求項１乃至５のいずれか１項に記載の画像処理装置。
【請求項８】
前記第１の画像及び前記第２の画像の表示倍率を決定する決定手段を更に備え、
前記画像処理手段は、前記変更前の前記第１のパラメータと前記変更前の前記第２のパラメータとに従って前記元画像に前記画像処理を行うことにより第３の画像を生成し、
前記表示倍率が閾値未満の場合、前記表示制御手段は、前記第２の画像の代わりに前記第３の画像を前記表示倍率で表示するように制御する
ことを特徴とする請求項１乃至７のいずれか１項に記載の画像処理装置。
【請求項９】
前記元画像はＲＡＷ画像である
ことを特徴とする請求項１乃至８のいずれか１項に記載の画像処理装置。
【請求項１０】
前記画像処理は現像処理である
ことを特徴とする請求項９に記載の画像処理装置。
【請求項１１】
前記取得手段は、前記ＲＡＷ画像を含む画像ファイルから、前記第１のパラメータ及び前記第２のパラメータを取得する
ことを特徴とする請求項９又は１０に記載の画像処理装置。
【請求項１２】
前記取得手段が取得する前記第１のパラメータ及び前記第２のパラメータは、前記ＲＡＷ画像の撮影時に行った現像で適用されたパラメータである
ことを特徴とする請求項１１に記載の画像処理装置。
【請求項１３】
撮像手段を更に備え、
前記ＲＡＷ画像は、前記撮像手段で撮像された画像である
ことを特徴とする請求項９乃至１２のいずれか１項に記載の画像処理装置。
【請求項１４】
前記画像処理手段は、前記変更手段による前記変更を反映した画像を保存するユーザ指示に応じて、前記変更後の前記第１のパラメータと前記変更後の前記第２のパラメータとに従って前記元画像に前記画像処理を行い、当該画像処理により生成された画像を画像ファイルとして記録手段に記録する
ことを特徴とする請求項１乃至１３のいずれか１項に記載の画像処理装置。
【請求項１５】
前記画像処理手段は、予め定められたパラメータに基づいた画像を保存するユーザ指示に応じて、前記変更前の前記第１のパラメータと前記変更前の前記第２のパラメータとに従って前記元画像に前記画像処理を行い、当該画像処理により生成された画像を画像ファイルとして記録手段に記録する
ことを特徴とする請求項１乃至１４のいずれか１項に記載の画像処理装置。
【請求項１６】
画像処理装置が実行する制御方法であって、
画像処理に関するパラメータとして、画素数に関する第１のパラメータと、画素数以外の画質に関する第２のパラメータとを取得する取得工程と、
前記第１のパラメータ及び前記第２のパラメータを変更する変更工程と、
前記変更後の前記第１のパラメータと前記変更後の前記第２のパラメータとに従って元画像に前記画像処理を行うことにより第１の画像を生成し、前記変更後の前記第１のパラメータと前記変更前の前記第２のパラメータとに従って前記元画像に前記画像処理を行うことにより第２の画像を生成する、画像処理工程と、
前記第１の画像と前記第２の画像とを表示するように制御する表示制御工程と、
を備えることを特徴とする制御方法。
【請求項１７】
コンピュータを、請求項１乃至１５のいずれか１項に記載の画像処理装置の各手段として機能させるためのプログラム。
【請求項１８】
コンピュータを、請求項１乃至１５のいずれか１項に記載の画像処理装置の各手段として機能させるためのプログラムを格納したコンピュータが読み取り可能な記憶媒体。
【発明の詳細な説明】
【技術分野】
【０００１】
本発明は、画像処理装置、制御方法、プログラム、及び記憶媒体に関する。
【背景技術】
【０００２】
近年、デジタルカメラなどの撮像装置において、撮像センサから出力された画像を、画像に対する加工処理を行わないＲＡＷ画像のまま記録媒体に記録する機能を有する機種が増えている。ＲＡＷ画像は、現像と呼ばれる処理を施すことで、例えばフルカラーの画像として表示が可能となる。一般的に、ＲＡＷ画像に対する現像処理は、外部の画像処理装置、又は撮像装置が有している画像処理機能を用いて、非破壊的に行われる。撮像装置の中には、ＲＡＷ画像と、ＪＰＥＧ画像などの現像済みの画像とを併せて記録することが可能なものもある。この場合、撮影時にＲＡＷ画像に対する現像処理が施されてＪＰＥＧ画像が生成されると共に、現像処理の際に用いた現像パラメータは、ＲＡＷ画像と共にＲＡＷ画像ファイルに記録される。このように記録されたＲＡＷ画像に対して、後処理としてユーザが任意の現像パラメータを指定して画質調整を行い、現像処理を行うことで、ＲＡＷ画像から、よりユーザの好みにあった現像処理が施された画像を得ることができる。
【０００３】
ユーザが撮像装置を用いてＲＡＷ画像に対して明度調整やコントラスト調整などの画質調整を行う場合、例えば明度±０、コントラスト＋２といったように、現像パラメータを選択して値を調整する。そして、撮像装置は、その調整された現像パラメータに基づき、ＲＡＷ画像に対して現像処理を行う。ＲＡＷ画像の画素数が多い場合、ユーザが画質調整を行う度に撮像装置がＲＡＷ画像の現像処理を行うと、その度に処理時間を要してしまう。これに対し、特許文献１には、表示倍率が等倍未満の場合には、表示倍率が小さいほど少ない割合の画素をＲＡＷ画像から抽出し、抽出した一部の画素を対象として現像処理を行い、これにより得られた画像をプレビュー表示する技術が開示されている。これにより、画質調整結果の確認に要する時間を短縮することができる。
【先行技術文献】
【特許文献】
【０００４】
【特許文献１】特開２００５−２５１１６６号公報
【発明の概要】
【発明が解決しようとする課題】
【０００５】
ＲＡＷ画像に対する画質調整として、ホワイトバランスなどの色処理のパラメータと、リサイズ処理（画素数変更処理）などの画像サイズに関するパラメータとの双方を変更する場合がある。この場合、ユーザが変更前後のパラメータそれぞれに対応する現像画像を比較しても、パラメータ変更前後での画質の変化が、色処理のパラメータの変更によるものなのか、画像サイズに関するパラメータの変更によるものなのかを判別することが難しい。なぜなら、リサイズのために画素数を減少させる処理は、色味を変化させる可能性のある処理（例えば、リサイズ後の特定の画素の色をリサイズ前の複数の画素の色に基づいて決定する処理）を伴う場合があるからである。
【０００６】
従って、例えばユーザが色処理のパラメータの変更による画質への影響を確認したい場合であっても、画像サイズに関するパラメータの変更も画質に影響するため、色処理のパラメータの調整による画質への影響を確認することが難しい。
【０００７】
本発明はこのような状況に鑑みてなされたものであり、複数の画像処理パラメータを調整して画像処理を行う場合に、一部の画像処理パラメータの調整による画質への影響をユーザが確認することをより容易にすることを目的とする。
【課題を解決するための手段】
【０００８】
上記課題を解決するために、本発明は、画像処理に関するパラメータとして、画素数に関する第１のパラメータと、画素数以外の画質に関する第２のパラメータとを取得する取得手段と、前記第１のパラメータ及び前記第２のパラメータを変更する変更手段と、前記変更後の前記第１のパラメータと前記変更後の前記第２のパラメータとに従って元画像に前記画像処理を行うことにより第１の画像を生成し、前記変更後の前記第１のパラメータと前記変更前の前記第２のパラメータとに従って前記元画像に前記画像処理を行うことにより第２の画像を生成する、画像処理手段と、前記第１の画像と前記第２の画像とを表示するように制御する表示制御手段と、を備えることを特徴とする画像処理装置を提供する。
【０００９】
なお、その他の本発明の特徴は、添付図面及び以下の発明を実施するための形態における記載によって更に明らかになるものである。
【発明の効果】
【００１０】
本発明によれば、複数の画像処理パラメータを調整して画像処理を行う場合に、一部の画像処理パラメータの調整による画質への影響をユーザが確認することをより容易にすることが可能となる。
【図面の簡単な説明】
【００１１】
【図１】デジタルカメラ１００の外観図。
【図２】デジタルカメラ１００の構成例を示すブロック図。
【図３】ＲＡＷ現像処理のフローチャート。
【図４】パラメータ変更処理（Ｓ３０８）のフローチャート。
【図５】比較処理（Ｓ４１７）のフローチャート。
【図６Ａ】パラメータ調整画面の表示例（パラメータ変更前）を示す図。
【図６Ｂ】パラメータ調整画面の表示例（ＷＢ変更後）を示す図。
【図６Ｃ】パラメータ調整画面の表示例（ＷＢ及び記録画素数変更後）を示す図。
【図６Ｄ】比較画面におけるパラメータ変更後の画像の表示例を示す図。
【図６Ｅ】比較画面におけるパラメータ変更前の画像の表示例を示す図。
【図６Ｆ】図６Ｄの状態から拡大した場合の表示例を示す図。
【図６Ｇ】図６Ｆの状態から切替操作があった場合の表示例を示す図。
【図７】ＷＢ設定値及び記録画素数の変更が画質に与える影響を説明する図。
【図８】パラメータのアイコンの表示例を示す図。
【発明を実施するための形態】
【００１２】
以下、添付図面を参照して、本発明の実施形態を説明する。なお、本発明の技術的範囲は、特許請求の範囲によって確定されるのであって、以下の個別の実施形態によって限定されるわけではない。また、実施形態の中で説明されている特徴の組み合わせすべてが、本発明に必須とは限らない。
【００１３】
［第１の実施形態］
図１は、画像処理装置の一例であるデジタルカメラ１００の外観図である。図１において、表示部２８は、画像や各種情報を表示する表示部である。シャッターボタン６１は、撮影指示を行うための操作部である。モード切替スイッチ６０は、各種モードを切り替えるための操作部である。コネクタ１１２は、パーソナルコンピュータやプリンタなどの外部機器と接続するための接続ケーブル１１１とデジタルカメラ１００とのコネクタである。操作部７０は、ユーザからの各種操作を受け付ける各種スイッチ、ボタン、タッチパネル等の操作部材より成る操作部である。コントローラホイール７３は、操作部７０に含まれる回転操作可能な操作部材である。電源スイッチ７２は、電源オン、電源オフを切り替えるための押しボタンである。記録媒体２００は、メモリカードやハードディスク等の記録媒体である。記録媒体スロット２０１は、記録媒体２００を格納するためのスロットである。記録媒体スロット２０１に格納された記録媒体２００は、デジタルカメラ１００との通信が可能となり、記録や再生が可能となる。蓋２０２は、記録媒体スロット２０１の蓋である。図１においては、蓋２０２を開けて記録媒体スロット２０１から記録媒体２００の一部を取り出して露出させた状態を示している。
【００１４】
図２は、デジタルカメラ１００の構成例を示すブロック図である。図２において、撮影レンズ１０３は、ズームレンズ、フォーカスレンズを含むレンズ群である。シャッター１０１は、絞り機能を備えるシャッターである。撮像部２２は、光学像を電気信号に変換するＣＣＤやＣＭＯＳ素子等で構成される撮像素子である。Ａ／Ｄ変換器２３は、アナログ信号をデジタル信号に変換する。Ａ／Ｄ変換器２３は、撮像部２２から出力されるアナログ信号をデジタル信号に変換するために用いられる。バリア１０２は、デジタルカメラ１００の、撮影レンズ１０３を含む撮像系を覆うことにより、撮影レンズ１０３、シャッター１０１、撮像部２２を含む撮像系の汚れや破損を防止する。
【００１５】
画像処理部２４は、Ａ／Ｄ変換器２３からのデータ、又は、メモリ制御部１５からのデータに対し所定の画素補間、縮小といったリサイズ処理や色変換処理を行う。また、画像処理部２４では、撮像した画像データを用いて所定の演算処理が行われ、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理も行っている。
【００１６】
Ａ／Ｄ変換器２３からの出力データは、画像処理部２４及びメモリ制御部１５を介して、或いは、メモリ制御部１５を介してメモリ３２に書き込まれる。メモリ３２は、撮像部２２によって得られＡ／Ｄ変換器２３によりデジタルデータに変換された画像データや、表示部２８に表示するための画像データを格納する。メモリ３２は、所定枚数の静止画像や所定時間の動画像及び音声を格納するのに十分な記憶容量を備えている。また、メモリ３２は、画像表示用のメモリ（ビデオメモリ）を兼ねている。
【００１７】
Ｄ／Ａ変換器１３は、メモリ３２に格納されている画像表示用のデータをアナログ信号に変換して表示部２８に供給する。こうして、メモリ３２に書き込まれた表示用の画像データは、Ｄ／Ａ変換器１３を介して表示部２８により表示される。表示部２８は、ＬＣＤ等の表示器上に、Ｄ／Ａ変換器１３からのアナログ信号に応じた表示を行う。Ａ／Ｄ変換器２３によって一度Ａ／Ｄ変換されメモリ３２に蓄積されたデジタル信号をＤ／Ａ変換器１３においてアナログ変換し、表示部２８に逐次転送して表示することで、表示部２８は電子ビューファインダ（ＥＶＦ）として機能する。これにより、スルー画像表示（ライブビュー表示）を行うことができる。
【００１８】
不揮発性メモリ５６は、電気的に消去・記録可能な記録媒体としてのメモリであり、例えばＥＥＰＲＯＭ等が用いられる。不揮発性メモリ５６には、システム制御部５０の動作用の定数、プログラム等が記憶される。ここで言うプログラムとは、本実施形態にて後述する各種フローチャートを実行するためのコンピュータプログラムのことである。
【００１９】
システム制御部５０は、少なくとも１つのプロセッサを有する制御部であり、デジタルカメラ１００全体を制御する。システム制御部５０は、前述した不揮発性メモリ５６に記録されたプログラムを実行することで、後述する本実施形態の各処理を実現する。システムメモリ５２には、ＲＡＭが用いられる。システムメモリ５２には、システム制御部５０の動作用の定数、変数、不揮発性メモリ５６から読み出したプログラム等を展開する。また、システム制御部５０は、メモリ３２、Ｄ／Ａ変換器１３、表示部２８等を制御することにより表示制御も行う。
【００２０】
システムタイマー５３は、各種制御に用いる時間や、内蔵された時計の時間を計測する計時部である。モード切替スイッチ６０、シャッターボタン６１、操作部７０は、システム制御部５０に各種の動作指示（ユーザ指示）を入力するための操作部である。モード切替スイッチ６０は、システム制御部５０の動作モードを静止画記録モード、動画撮影モード、再生モード等のいずれかに切り替える。静止画記録モードに含まれるモードとして、オート撮影モード、オートシーン判別モード、マニュアルモード、絞り優先モード（Ａｖモード）、シャッター速度優先モード（Ｔｖモード）がある。また、撮影シーン別の撮影設定となる各種シーンモード、プログラムＡＥモード、カスタムモード等がある。モード切替スイッチ６０で、これらのモードのいずれかに直接切り替えられる。或いは、モード切替スイッチ６０で撮影モードの一覧画面に一旦切り換えた後に、表示された複数のモードのいずれかを選択し、他の操作部材を用いて切り替えるようにしてもよい。同様に、動画撮影モードにも複数のモードが含まれていてもよい。
【００２１】
第１シャッタースイッチ６２は、デジタルカメラ１００に設けられたシャッターボタン６１の操作途中、いわゆる半押し（撮影準備指示）でＯＮとなり第１シャッタースイッチ信号ＳＷ１を発生する。システム制御部５０は、第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００２２】
第２シャッタースイッチ６４は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部２２からの信号読み出しから記録媒体２００に画像を書き込むまでの一連の撮影処理の動作を開始する。
【００２３】
第２シャッタースイッチ信号ＳＷ２に応じて開始される撮影処理においては、以下の処理が行われる。まず、設定された露光時間分の露光が行われ、撮像部２２での撮像が行われる。撮像部２２で撮像された信号がＡ／Ｄ変換器２３でデジタル信号に変換され、ＲＡＷ画像としてメモリ３２に格納される。システム制御部５０は、画像処理部２４を用いて、メモリ３２に格納されたＲＡＷ画像に対して、フィルタ処理や、ホワイトバランスやオートフォーカスなどの情報に基づいた色調整処理等を含む現像処理（撮影時の現像処理）を行う。画像処理部２４によって現像処理された現像済み画像（ＹＵＶデータ）は再びメモリ３２に格納され、画像処理部２４によってＪＰＥＧ圧縮され、ＪＰＥＧ画像が生成される。撮影設定として、ＲＡＷ画像とＪＰＥＧ画像の双方を記憶する設定（ＲＡＷ＋ＪＰＥＧ）がある。この設定が用いられる場合、システム制御部５０は、メモリ３２に格納されたＲＡＷ画像をＲＡＷ画像ファイルとして、生成されたＪＰＥＧ画像をＪＰＥＧファイルとして、それぞれ記録媒体２００に記録する。撮影設定として、ＪＰＥＧ画像のみを記憶する設定が用いられる場合、システム制御部５０は、メモリ３２に格納されたＲＡＷ画像は記録することなく、生成されたＪＰＥＧ画像をＪＰＥＧファイルとして記録媒体２００に記録する。撮影設定として、ＲＡＷ画像のみを記憶する設定が用いられる場合、システム制御部５０は、メモリ３２に格納されたＲＡＷ画像をＲＡＷ画像ファイルとして記録媒体２００に記録する。ＲＡＷ画像ファイルには、撮影時の現像処理に用いられた現像パラメータ（以下、単に「パラメータ」と呼ぶ）、撮像したデジタルカメラのＩＤ情報、撮像したデジタルカメラの設定情報などが属性情報として記憶される。また、生成されたＪＰＥＧ画像が、ＲＡＷ画像の簡易確認用として、ＲＡＷ画像ファイル内に記録される。ＲＡＷ画像の簡易確認用としてＲＡＷ画像ファイル内に記録されたＪＰＥＧ画像を表示用ＪＰＥＧと称するものとする。
【００２４】
操作部７０の各操作部材は、表示部２８に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が表示部２８に表示される。ユーザは、表示部２８に表示されたメニュー画面と、上下左右の４方向ボタンやＳＥＴボタンとを用いて、直感的に各種設定を行うことができる。なお、デジタルカメラ１００は、操作部７０の一部として、表示部２８に対する接触操作を検知可能なタッチパネル（タッチ操作部材）を備えていてもよい。コントローラホイール７３は、操作部７０に含まれる回転操作可能な操作部材であり、方向ボタンと共に選択項目を指示する際などに使用される。
【００２５】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。
【００２６】
電源部３０は、アルカリ電池やリチウム電池等の一次電池やＮｉＣｄ電池やＮｉＭＨ電池、Ｌｉ電池等の二次電池、ＡＣアダプター等からなる。記録媒体Ｉ／Ｆ１８は、メモリカードやハードディスク等の記録媒体２００とのインタフェースである。記録媒体２００は、撮影された画像を記録するためのメモリカード等の記録媒体であり、半導体メモリや光ディスク、磁気ディスク等から構成される。
【００２７】
通信部５４は、無線又は有線ケーブルによって外部機器と接続し、映像信号や音声信号等の送受信を行う。通信部５４は、無線ＬＡＮ（Local Area Network）やインターネットとも接続可能である。通信部５４は、撮像部２２で撮像した画像（スルー画像を含む）や、記録媒体２００に記録された画像を送信可能であり、また、外部機器から画像やその他の各種情報を受信することができる。
【００２８】
姿勢検知部５５は、重力方向に対するデジタルカメラ１００の姿勢を検知する。システム制御部５０は、姿勢検知部５５で検知された姿勢に基づいて、撮像部２２で撮影された画像が、デジタルカメラ１００を横に構えて撮影された画像であるか、縦に構えて撮影された画像なのかを判別可能である。システム制御部５０は、姿勢検知部５５で検知された姿勢に応じた向き情報を撮像部２２で撮像された画像の画像ファイルに付加したり、姿勢に応じて画像を回転して記録したりすることが可能である。姿勢検知部５５としては、加速度センサやジャイロセンサなどを用いることができる。
【００２９】
図３に、デジタルカメラ１００におけるＲＡＷ現像処理のフローチャートを示す。この処理は、デジタルカメラ１００が起動され、メニュー画面が表示され、一覧表示されたメニュー項目の中からＲＡＷ現像のメニュー項目が選択されると開始される。この処理は、不揮発性メモリ５６に記録されたプログラムをシステムメモリ５２に展開してシステム制御部５０が実行することで実現する。
【００３０】
Ｓ３０１で、システム制御部５０は、ユーザからの画像選択を受け付ける。具体的には、システム制御部５０は、記録媒体２００に記録された画像のうち、ＲＡＷ画像を表示する。ここで、「ＲＡＷ画像を表示する」とは、ＲＡＷ画像ファイルに記録された表示用ＪＰＥＧを表示することを意味する。但し、表示用ＪＰＥＧが格納されていないＲＡＷ画像ファイルがあった場合には、システム制御部５０は、撮影時の設定（ＲＡＷ画像ファイルに記録されたパラメータ）で現像を行うことによってＲＡＷ画像を表示してもよい。或いは、システム制御部５０は、デジタルカメラ１００の不揮発性メモリ５６に記録された所定のパラメータで現像を行うことによってＲＡＷ画像を表示してもよい。そして、システム制御部５０は、ユーザからの画像選択の操作を受け付ける。ＲＡＷ画像の表示は、１枚表示（シングル表示）でもよいし、複数のＲＡＷ画像を一覧表示するマルチ表示でもよい。また、シングル表示とマルチ表示をユーザ操作によって切り替えられるようにデジタルカメラ１００を構成してもよい。シングル表示の場合、ユーザは、操作部７０に含まれる４方向キーの左右キーによって画像送り／画像戻しをすることで、所望のＲＡＷ画像を選択する。また、マルチ表示の場合、ユーザは操作部７０に含まれる４方向キーで画像選択カーソルを移動させ、所望の画像を選択する。所望の画像が選択されたところで、操作部７０に含まれるＳＥＴボタンが押下されると、システム制御部５０は、現像方法の選択画面を表示する。現像方法の選択画面には、「撮影時の設定で現像」、「細かく設定して現像」、「中止」の３つの選択肢が表示される。ユーザは、４方向ボタンの操作でこれら３つの選択肢のいずれかを選んでＳＥＴボタンを押下することで、これら３つの選択肢のうちいずれかを選択することが可能である。システム制御部５０が現像方法の選択画面を表示すると、処理はＳ３０２に進む。
【００３１】
Ｓ３０２で、システム制御部５０は、現像方法の選択画面において「撮影時の設定で現像」が選択されてＳＥＴボタンが押下されたか否かを判定する。「撮影時の設定で現像」が選択されてＳＥＴボタンが押下された場合、処理はＳ３０３に進み、そうでない場合、処理はＳ３０７に進む。
【００３２】
Ｓ３０３で、システム制御部５０は、表示部２８に「現像して保存しますか？」という確認メッセージと、「はい」「いいえ」の選択肢とを含む確認画面を表示する。ここでの確認メッセージに、撮影時の設定（即ち、ＲＡＷ画像に記録されたパラメータ）を適用した現像を行ってよいかを問う旨を表示してもよい。
【００３３】
Ｓ３０４で、システム制御部５０は、確認画面における選択肢のうち、保存を指示する「はい」が選択されたか、「いいえ」が選択されたかを判定する。「はい」が選択された場合、処理はＳ３０５に進み、「いいえ」が選択された場合、処理はＳ３０２に進む。
【００３４】
Ｓ３０５で、システム制御部５０は、画像処理部２４を用いて、撮影時の設定（即ち、ＲＡＷ画像ファイルに記録されたパラメータ）で現像処理を行う。システム制御部５０は、ＲＡＷ現像の結果生成されたＹＵＶデータをＪＰＥＧ圧縮し、ＪＰＥＧ画像ファイルとして記録媒体２００に記録する。ここで記録されるＪＰＥＧ画像ファイルは、現像元のＲＡＷ画像ファイルの表示用ＪＰＥＧと、基本的には同じ画質である。
【００３５】
Ｓ３０６で、システム制御部５０は、続けて現像するかを問う確認メッセージを表示し、続けて現像する指示操作が行われたか否かを判定する。続けて現像する指示操作が行われた場合、処理はＳ３０１に進み、そうでない場合、本フローチャートのＲＡＷ現像処理は終了し、システム制御部５０は、表示部２８をメニュー画面に戻す。
【００３６】
Ｓ３０７で、システム制御部５０は、現像方法の選択画面において「細かく設定して現像」が選択されてＳＥＴボタンが押下されたか否かを判定する。「細かく設定して現像」が選択されてＳＥＴボタンが押下された場合、処理はＳ３０８に進み、そうでない場合、処理はＳ３０９に進む。
【００３７】
Ｓ３０８で、システム制御部５０は、パラメータ変更処理を行う。パラメータ変更処理の詳細については、図４を用いて後述する。
【００３８】
Ｓ３０９で、システム制御部５０は、現像方法の選択画面において「中止」が選択されてＳＥＴボタンが押下されたか否かを判定する。「中止」が選択されてＳＥＴボタンが押下された場合、本フローチャートのＲＡＷ現像処理は終了し、システム制御部５０は、表示部２８をメニュー画面に戻す。そうでない場合、処理はＳ３０２に進み、現像方法の選択画面におけるユーザからの選択操作を待つ。
【００３９】
図４に、デジタルカメラ１００で行われるパラメータ変更処理（Ｓ３０８）のフローチャートを示す。この処理は、前述の図３のＳ３０８の処理の詳細である。この処理は、不揮発性メモリ５６に記録されたプログラムをシステムメモリ５２に展開してシステム制御部５０が実行することで実現する。
【００４０】
Ｓ４０１で、システム制御部５０は、図３のＳ３０１で選択されていたＲＡＷ画像に対して、画像処理部２４を用いて、撮影時の設定（即ち、ＲＡＷ画像ファイルに記録されたパラメータ）で現像処理を行い、現像済み画像を生成する。また、システム制御部５０は、ＲＡＷ画像ファイルから取得したパラメータ（即ち、現像処理で使用したパラメータ）を、システムメモリ５２に記憶する。
【００４１】
Ｓ４０２で、システム制御部５０は、表示部２８に、現像済み画像と、パラメータ調整のための複数の表示アイテムとを含むパラメータ調整画面を表示する。パラメータ調整画面の表示例を図６Ａに示す。現像済み画像６１０ａに重畳して、各種パラメータの調整のための表示アイテム６０１〜６０４、保存アイコン６０５、比較アイコン６０６ａなどが表示される。表示アイテム６０１は、パラメータの１つであるノイズリダクションについて調整するためのアイコンである。表示アイテム６０２は、パラメータの１つである明るさ（明度）について調整するためのアイコンである。表示アイテム６０３は、パラメータの１つである記録画素数（画像サイズ）（第１のパラメータ）について調整するためのアイコンである。表示アイテム６０４は、パラメータの１つであるホワイトバランス（ＷＢ）（第２のパラメータ）について調整するためのアイコンである。各表示アイテムは、現在の設定値も表している。ユーザは、各表示アイテムのいずれかをカーソル６００で選択した状態で操作部７０に含まれるコントローラホイール７３を操作することで、選択した表示アイテムに対応するパラメータを変更できる。また、ユーザは、各表示アイテムのいずれかをカーソル６００で選択した状態でＳＥＴボタンを押下することで、選択した表示アイテムに対応するパラメータの変更画面を表示させ、その状態で操作部７０を操作してパラメータを変更することもできる。比較アイコン６０６ａは、調整前後の画像の比較を行うための表示アイテムである。比較アイコン６０６ａは、初期状態では無効を示すグレーアウトした表示形態で表示されており、記録画素数以外のパラメータが変更された場合に有効となる。
【００４２】
Ｓ４０３で、システム制御部５０は、表示アイテム６０４がカーソル６００で選択され、ＷＢの変更操作があったか否かを判定する。ＷＢの変更操作があった場合、処理はＳ４０４に進み、そうでない場合、処理はＳ４０５に進む。
【００４３】
Ｓ４０４で、システム制御部５０は、システムメモリ５２に記憶されているパラメータのうち、ＷＢ設定値を、変更されたＷＢ設定値に更新する。続いて、Ｓ４０９で、システム制御部５０は、システムメモリ５２に記憶されているパラメータ（変更されたＷＢ設定値を含む）に基づいて、図３のＳ３０１で選択されていたＲＡＷ画像を現像する。Ｓ４１０で、システム制御部５０は、Ｓ４０９における現像により得られた画像を表示する。例えば、図６Ａの状態からＷＢの変更操作が行われると、表示部２８は、図６Ｂに示す表示状態に変更される。図６Ｂにおいて、表示アイテム６０４は、変更されたＷＢ設定値を示している（図示の例では、図６Ａの「オートＷＢ（ＡＷＢ）」から、「電球」に変更されている）。また、図６Ｂにおいて表示される画像６１０ｂは、ＷＢの設定を電球に変更して現像した結果に対応する現像済み画像である。また、比較アイコン６０６ａは、後述するＳ４１２の処理により有効化されるため、比較アイコン６０６ｂに変化している。
【００４４】
Ｓ４０５で、システム制御部５０は、表示アイテム６０３がカーソル６００で選択され、記録画素数の変更操作があったか否かを判定する。記録画素数の変更操作があった場合、処理はＳ４０６に進み、そうでない場合、処理はＳ４０７に進む。
【００４５】
Ｓ４０６で、システム制御部５０は、システムメモリ５２に記憶されているパラメータのうち、記録画素数を、変更された記録画素数に更新する。続いて、Ｓ４０９で、システム制御部５０は、システムメモリ５２に記憶されているパラメータ（変更された記録画素数を含む）に基づいて、図３のＳ３０１で選択されていたＲＡＷ画像を現像する。Ｓ４１０で、システム制御部５０は、Ｓ４０９における現像により得られた画像を表示する。例えば、図６Ｂの状態から記録画素数の変更操作が行われると、表示部２８は、図６Ｃに示す表示状態に変更される。図６Ｃにおいて、表示アイテム６０３は、変更された記録画素数を示している。本実施形態では、アスペクト比３：２である場合は、Ｌ：横４５００×縦３０００画素、Ｍ１：横３０００×縦２０００画素、Ｍ２：２４００×１６００画素、Ｓ１：縦１５８０×横１０８０画素、Ｓ２：横７２０×縦４８０画素であるものとする。他のアスペクト比の場合も、Ｌ，Ｍ１、Ｍ２，Ｓ１、Ｓ２はそれぞれ上記に近い画素数であるものとする。図６Ｃの例では、記録画素数が、図６ＢのＬ：横４５００×縦３０００画素から、Ｓ１：縦１５８０×横１０８０画素に変更されている。また、図６Ｃにおいて表示される画像６１０ｂは記録画素数の設定をＳ１：縦１５８０×横１０８０画素に変更して現像した結果に対応する現像済み画像である。
【００４６】
Ｓ４０７で、システム制御部５０は、その他の表示アイテムがカーソル６００で選択され、その他のパラメータについての変更操作があったか否かを判定する。その他のパラメータについての変更操作があった場合、処理はＳ４０８に進み、そうでない場合、処理はＳ４１３に進む。
【００４７】
Ｓ４０８で、システム制御部５０は、システムメモリ５２に記憶されているパラメータのうち、変更されたパラメータを、変更後の設定値に更新する。続いて、Ｓ４０９で、システム制御部５０は、システムメモリ５２に記憶されているパラメータ（変更されたパラメータを含む）に基づいて、図３のＳ３０１で選択されていたＲＡＷ画像を現像する。Ｓ４１０で、システム制御部５０は、Ｓ４０９における現像により得られた画像を表示する。このとき、システム制御部５０は、各表示アイテムを、変更されたパラメータを示す表示形態に変更する。これにより、ユーザは調整結果を確認することができる。
【００４８】
Ｓ４１１で、システム制御部５０は、記録画素数以外のパラメータが初期値（Ｓ４０１で適用した撮影時のパラメータ）から変更されたか否かを判定する。記録画素数以外のパラメータが初期値から変更された場合、処理はＳ４１２に進み、そうでない場合（即ち、変更されたのが記録画素数のみであった場合）、処理はＳ４０３に進む。
【００４９】
Ｓ４１２で、システム制御部５０は、パラメータ調整画面に表示された比較アイコンの表示形態を、有効を示す表示形態に変更する。これによって、図６Ａのようにグレーアウトして表示されていた比較アイコン６０６ａが、図６Ｂのように、有効状態を示す表示形態である比較アイコン６０６ｂに変更される。
【００５０】
一方、Ｓ４１３では、システム制御部５０は、拡大／縮小操作があったか否かを判定する。拡大／縮小操作は、操作部７０に含まれる拡大ボタン又は縮小ボタンに対する操作か、表示部２８と一体的に設けられたタッチパネルに対するピンチ操作によって行うことができる。ピンチ操作とは、タッチパネルに２点同時にタッチし、各点を互いに離す操作（ピンチアウト。拡大操作となる）、近づける操作（ピンチイン。縮小操作）の総称である。
【００５１】
Ｓ４１４で、システム制御部５０は、Ｓ４１３で受け付けた拡大／縮小操作に応じて、パラメータ調整画面に表示された現像済み画像の拡大又は縮小を行う。
【００５２】
Ｓ４１５で、システム制御部５０は、操作部７０に含まれるＩＮＦＯボタンの押下、比較アイコン６０６ａ，６０６ｂに対するタッチ操作のいずれかによる、比較指示操作があったか否かを判定する。比較指示操作があった場合、処理はＳ４１６に進み、そうでない場合、処理はＳ４１８に進む。
【００５３】
Ｓ４１６で、システム制御部５０は、比較アイコンが有効であるか（即ち、比較アイコン６０６ｂが表示されているか）否かを判定する。比較アイコンが有効である場合、処理はＳ４１７に進み、そうでない場合（即ち、無効状態を示す表示形態である比較アイコン６０６ａが表示されている場合）、処理はＳ４１８に進む。
【００５４】
Ｓ４１７で、システム制御部５０は、パラメータ変更処理で行ったパラメータの調整の前後を比較する比較処理を行う。比較処理の詳細は図５を用いて後述する。
【００５５】
Ｓ４１８で、システム制御部５０は、保存を指示するための保存アイコン６０５をタッチするか、保存アイコン６０５をカーソル６００で選択してＳＥＴボタンを押下することによる、保存指示操作があったか否かを判定する。保存指示操作があった場合、処理はＳ４１９に進み、そうでない場合、処理はＳ４２３に進む。
【００５６】
Ｓ４１９で、システム制御部５０は、表示部２８に「現像して保存しますか？」という確認メッセージと、「はい」「いいえ」の選択肢とを含む確認画面を表示する。
【００５７】
Ｓ４２０で、システム制御部５０は、確認画面における選択肢のうち、保存を指示する「はい」が選択されたか、「いいえ」が選択されたかを判定する。「はい」が選択された場合、処理はＳ４２１に進み、「いいえ」が選択された場合、処理はＳ４２３に進む。
【００５８】
Ｓ４２１で、システム制御部５０は、画像処理部２４を用いて、システムメモリ５２に記憶され、パラメータ変更処理によって調整された、パラメータを適用して、選択されているＲＡＷ画像に対して現像処理を行う。ここでの現像処理は、Ｓ４０９のプレビュー用の現像処理ではなく、本現像である。システム制御部５０は、ＲＡＷ現像の結果生成されたＹＵＶデータをＪＰＥＧ圧縮し、ＪＰＥＧ画像ファイルとして記録媒体２００に記録する。ここで記録されるＪＰＥＧファイルは、パラメータ変更処理における各種パラメータの調整が反映されているため、現像元のＲＡＷ画像ファイルの表示用ＪＰＥＧと基本的には異なる画質である。
【００５９】
Ｓ４２２で、システム制御部５０は、続けて現像するかを問う確認メッセージを表示し、続けて現像する指示操作が行われたか否かを判定する。続けて現像する指示操作が行われた場合、処理はＳ３０１に進み、そうでない場合、パラメータ変更処理（図４）を含むＲＡＷ現像処理（図３）は終了し、システム制御部５０は、表示部２８をメニュー画面に戻す。
【００６０】
Ｓ４２３で、システム制御部５０は、操作部７０に含まれる、戻る指示を行う操作部材（例えばメニューボタン）が押下されたか否かを判定する。戻る指示を行う操作部材が操作された場合、処理は図３のＳ３０２に戻り、そうでない場合、処理はＳ４０２に進む。処理がＳ４２３から図３のＳ３０２に戻る場合、システム制御部５０は、現像方法の選択画面を再表示する。
【００６１】
図５に、デジタルカメラ１００で行われる比較処理（Ｓ４１７）のフローチャートを示す。この処理は、不揮発性メモリ５６に記録されたプログラムをシステムメモリ５２に展開してシステム制御部５０が実行することで実現する。図５及び図６Ｃ〜図６Ｇを用いてパラメータ変更処理について説明する。
【００６２】
Ｓ５０１で、システム制御部５０は、表示部２８に表示する画像がパラメータ変更後の画像であるか否かを判定する。ここで、初めてＳ５０１に進んでくる場合は、その直前でユーザ操作により比較アイコン６０６ｂが押されて遷移してくるため、パラメータ変更後の画像を表示することになる。表示する画像がパラメータ変更後の画像である場合、処理はＳ５０２へ進み、表示する画像がパラメータ変更前の画像である場合（即ち、撮影時のパラメータで現像を行う場合）、処理はＳ５０５へ進む。
【００６３】
Ｓ５０２で、システム制御部５０は、変更後のパラメータでＲＡＷ画像（元画像）の現像を行うことにより、パラメータ変更後の画像に対応するプレビュー画像（第１の画像）を生成する。Ｓ５０３で、システム制御部５０は、表示部２８にプレビュー画像を表示する。Ｓ５０４で、システム制御部５０は、Ｓ５０３で表示したプレビュー画像に重畳させる形で、パラメータ変更処理でユーザが調整可能なパラメータを示すアイコン群を表示する。こうして、パラメータ変更後の画像が比較画面に表示される。図６Ｄに、比較画面におけるパラメータ変更後の画像の表示例を示す。図６Ｄは、図６Ｃの表示状態から比較指示操作が行われた場合の表示例である。画像６１０ｂは、変更後のパラメータを反映して現像処理された画像である。パラメータ群６２０には、初期設定から変更されたパラメータが識別可能に（例えばオレンジ色に）表示される。図６Ｄの例では、記録画素数を示す表示アイテムとＷＢ設定値を示す表示アイテムとが、他の表示アイテムと異なる色で表示されており、初期設定と変わっていることが分かる。
【００６４】
Ｓ５０５で、システム制御部５０は、各種パラメータのうち記録画素数が撮影時の設定から変更されているか否かを判定する。記録画素数が変更されている場合、処理はＳ５０６へ進み、そうでない場合、処理はＳ５０７へ進む。
【００６５】
Ｓ５０６で、システム制御部５０は、変更前（撮影時）のパラメータで現像処理を行うが、記録画素数に限り、変更後の記録画素数を用いて現像処理を行う。これにより、パラメータ変更前の画像に対応するプレビュー画像（第２の画像）が生成される。
【００６６】
Ｓ５０７で、システム制御部５０は、変更前（撮影時）のパラメータで現像処理を行い、パラメータ変更前の画像に対応するプレビュー画像を生成する。
【００６７】
Ｓ５０８で、システム制御部５０は、Ｓ５０６又はＳ５０７において生成されたプレビュー画像を表示部２８に表示する。Ｓ５０９で、システム制御部５０は、Ｓ５０４と同様に、パラメータ変更処理でユーザが調整可能なパラメータを示すアイコン群を表示する。図６Ｅに、比較画面におけるパラメータ変更前の画像の表示例を示す。図６Ｅは、図６Ｄの表示状態から切替操作（後述）が行われた場合の表示例である。画像６１０ａ’は、ＲＡＷ画像に対して、記録画素数については変更後の設定値（Ｓ１：縦１５８０×横１０８０画素）、その他のパラメータについては変更前の設定値で現像処理を行って得た現像済み画像である。パラメータ群６２０には、画像６１０ａ’を生成するために用いたパラメータではなく、撮影時のパラメータを示すように表示される。従って、記録画素数に対応する表示アイテムは、「Ｓ１」ではなく「Ｌ」を示す表示形態となる。また、図６Ｄの場合と異なり、表示アイテムの中に初期設定から変更されたパラメータが存在しないため、変更されたパラメータを識別可能に表示する処理は行われない。なお、比較画面において、画像６１０ａ’を得るために実際に現像に用いた記録画素数のパラメータ（Ｓ１）と、パラメータ群６２０に表示される撮影時の設定（Ｌ）とが相違する。従って、ユーザが表示されている画像６１０ａ’は撮影時の設定（Ｌ）で現像処理したものであると誤解する可能性を低減するため、パラメータ群６２０のうち、記録画素数のパラメータは表示しない（非表示とする）ようにしてもよい。
【００６８】
比較画面に表示される図６Ｄの画像６１０ｂと図６Ｅの画像６１０ａ’とは、記録画素数の条件を同じとして、その他のパラメータをそれぞれ変更後、変更前として現像した画像である。そのため、比較対象の画像６１０ｂと画像６１０ａ’との画質の違い（変化）には、記録画素数（画像サイズ）の違いは影響しない。従って、ユーザは、記録画素数の違いによる影響を除いた、色処理のパラメータ等の調整が要因で現れる画質の違いをより正確に確認することができる。この効果は、後述する通り画像を拡大するほど顕著になる。
【００６９】
Ｓ５１０で、システム制御部５０は、拡大／縮小操作があったか否かを判定する。拡大／縮小操作は、前述のＳ４１３で説明したものと同様である。拡大／縮小操作があった場合、処理はＳ５１１に進み、そうでない場合、処理はＳ５１２に進む。
【００７０】
Ｓ５１１で、システム制御部５０は、Ｓ５１０で受け付けた拡大／縮小操作に応じて、比較画面に表示された現像済み画像の拡大又は縮小を行う。図６Ｆに、図６Ｄの状態から拡大した場合の表示例を示す。拡大して表示する範囲（拡大範囲）は、操作部７０に含まれる４方向キーに対する操作又はタッチ操作によってユーザ任意の位置に変更可能である。また、図６Ｇに、図６Ｆの状態から後述のＳ５１２における切替操作があった場合の表示例を示す。図示した通り、比較画面において拡大表示している際に切替操作があった場合、切替前後では同じ表示倍率で拡大／縮小された画像の同じ範囲が表示される。
【００７１】
Ｓ５１２で、システム制御部５０は、ユーザ操作によってパラメータ変更前（撮影時設定）の画像とパラメータ変更後の画像の切替操作が行われたか否かを判定する。切替操作は、例えば、操作部７０に含まれるＳＥＴボタンの押下、切替画面における画面左下の「変更後」又は「撮影時設定」と表記された表示アイテムをタッチすることなどによって行える。切替操作が行われた場合、処理はＳ５０１へ進み、そうでない場合、処理Ｓ５１３へ進む。
【００７２】
Ｓ５１３で、システム制御部５０は、比較処理を終了するか否かを判定する。比較処理を終了しない場合、処理はＳ５１０に進む。比較処理を終了する場合（例えば、ユーザが戻るボタンを押すなどした場合）、処理は図４のＳ４１８へ進む。
【００７３】
なお、図５において、Ｓ５０５でＹＥＳと判定された直後の位置に、所定の倍率以上で拡大表示中か否かを判定するステップを設けてもよい。所定の倍率とは、例えば、ピクセル等倍の状態（表示部２８の１画素に、画像の記録画素１つ分が表示される状態）である。この追加ステップにおいて、所定の倍率以上で拡大表示中であった場合、処理はＳ５０６に進み、そうでない場合、処理はＳ５０７に進む。換言すると、表示倍率が閾値未満に決定された場合、システム制御部５０は、パラメータ変更前のプレビュー画像（第３の画像）を生成する際に、記録画素数についても、変更前のパラメータを用いる。
【００７４】
ここで、ＷＢ設定値及び記録画素数の両方を変更した場合に、ＷＢ設定値の変更による画質への影響を確認することが難しい理由について、図７を参照して補足説明する。この問題は、ピクセル等倍で現像した画像を確認する際に特に顕著に表れるため、図７（ａ）において画像７０１で示すように、比較画面でピクセル等倍表示している場合を例として説明する。画像７０１の人の目の範囲を画素単位で詳細に見ると、画素群７０２で示すように、色Ａと色Ｂで表現できる（実際には、人の目は２色だけで表現されるというのは不自然であるが、ここでは便宜上このように表現する）。そして、色Ａと色Ｂが隣り合っている画素ペア７００１に着目し、この部分に対し任意のパラメータを指定して現像処理を行うことについて、図７（ｂ）を用いて説明する。
【００７５】
ここで一例として、現像対象となる画像の撮影時のパラメータが、記録画素数が「Ｌ」でＷＢ設定値がオートＷＢ（ＡＷＢ）であるとし、ユーザ操作による変更後のパラメータは記録画素数が「Ｓ１」でＷＢ設定値が電球であるものとする。画素ペア７００１に対し、変更後のパラメータを適用して現像を行うと、画素７０２２で示すように色Ｄが生成される。この色Ｄは、Ｓ１サイズへのリサイズ処理による間引き処理とホワイトバランスの色味の変化により作られる。一方で、Ｓ１サイズへのリサイズ処理だけでも間引き処理によって色味が変化するため、その場合、画素７０２１で示すように色Ｃが生成される。
【００７６】
ここで、色調整（ＷＢ設定値の変更）による色味の変化を確認するには、画素ペア７００１と画素７０２２の比較（比較Ａ）をするのではなく、画素７０２１と画素７０２２の比較（比較Ｂ）をするのが望ましい。そのため、システム制御部５０は、パラメータ変更前の画像については、ＷＢ設定値は撮影時の値を用いる一方で、記録画素数については変更後の設定値を用いて現像を行うことにより、プレビュー画像を生成する（Ｓ５０６参照）。そして、システム制御部５０は、こうして生成されたプレビュー画像を表示部２８に表示する（Ｓ５０８参照）。また、システム制御部５０は、切替操作に応じて、パラメータ変更前後の画像を切り替えて表示する。このようにすることで、記録画素数の変更による色味の変化なのか、ＷＢ設定値の変更による色味の変化なのかをユーザが判別することが容易になる。その結果、現像条件（パラメータ）の変更箇所が明確になり、ユーザが現像処理を効率よく行うことが可能になる。
【００７７】
また、図８（ａ）に示すように、比較画面にパラメータ変更前のプレビュー画像８１１を表示する場合に、記録画素数の表示アイテムについては、実際に適用された記録画素数を示す「Ｓ１」を表示してもよい（符号８１３参照）。このようにすることで、実際は記録画素数を揃えて比較しているという状況がユーザに分かるため（プレビュー画像８１１，８１２参照）、ユーザに誤解を与える可能性を低減することができる。
【００７８】
また、図８（ｂ）に示すように、パラメータ変更前後いずれの場合についても（プレビュー画像８２１，８２２参照）、記録画素数のアイコンを非表示にしてもよい（符号８２３，８２４参照）。ユーザが色調整による色味の変化を知りたい場合、ユーザにＷＢ設定値の変化に着目させることが望ましく、比較画面上で記録画素数の情報を表示するのはかえって誤解を招くおそれがある。記録画素数のアイコンを非表示にすることにより、この問題の発生を抑制することができる。
【００７９】
以上説明したように、本実施形態によれば、デジタルカメラ１００は、パラメータ変更前のプレビュー画像を生成する際に、記録画素数に関しては、変更後のパラメータを用いてＲＡＷ画像を現像する。これにより、パラメータの変更による画質の変化が、記録画素数の変更によるものなのか、他のパラメータ（例えば、ＷＢ設定値）の変更によるものなのかをユーザが判別することが容易になる。
【００８０】
なお、上の説明では、記録画素数以外の変更されるパラメータとして、主にＷＢ設定値に言及したが、他のパラメータ（例えば、図６Ａにおいて表示アイテム６０２で示される明度）が変更される場合も、同様の効果が得られる。
【００８１】
また、上の説明では、元画像がＲＡＷ画像であり、パラメータに従う画像処理が現像処理であるものとしたが、本実施形態はこれに限定されない。例えば、元画像が現像済みのＪＰＥＧ画像であり、このＪＰＥＧ画像に対して画素数及び明度を変更する画像処理を行う場合にも、同様の効果が得られる。
【００８２】
また、上の説明では、パラメータ変更前後のプレビュー画像が交互に表示されるものとしたが、本実施形態はこれに限定されない。例えば、システム制御部５０は、パラメータ変更前後のプレビュー画像を表示部２８に同時に表示してもよい。
【００８３】
なお、システム制御部５０が行うものとして説明した上述の各種制御は、１つのハードウェアが行ってもよいし、複数のハードウェアが処理を分担することで、装置全体の制御を行ってもよい。
【００８４】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００８５】
また、上述した実施形態においては、本発明をデジタルカメラ１００に適用した場合を例にして説明したが、これはこの例に限定されず、画像処理パラメータに従って画像処理を実行する画像処理装置であれば適用可能である。即ち、本発明は、パーソナルコンピュータやＰＤＡ、携帯電話端末や携帯型の画像ビューワ、ディスプレイを備えるプリンタ装置、デジタルフォトフレームなどに適用可能である。また、本発明は、音楽プレーヤー、ゲーム機、電子ブックリーダー、タブレット端末、スマートフォン、投影装置、ディスプレイを備える家電装置や車載装置などにも適用可能である。
【００８６】
［その他の実施形態］
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００８７】
１００…デジタルカメラ、２４…画像処理部、２８…表示部、５０…システム制御部、５２…システムメモリ、５６…不揮発性メモリ、７０…操作部、２００…記録媒体
【図１】
2018023046.tif 000003
【図２】
2018023046.tif 000004
【図３】
2018023046.tif 000005
【図４】
2018023046.tif 000006
【図５】
2018023046.tif 000007
【図６Ａ】
2018023046.tif 000008
【図６Ｂ】
2018023046.tif 000009
【図６Ｃ】
2018023046.tif 000010
【図６Ｄ】
2018023046.tif 000011
【図６Ｅ】
2018023046.tif 000012
【図６Ｆ】
2018023046.tif 000013
【図６Ｇ】
2018023046.tif 000014
【図７】
2018023046.tif 000015
【図８】
2018023046.tif 000016